(57)【要約】【課題】医療現場では、皮膚の損傷を抑えるために、照射位置を変えて重イオンを患者に照射しているが、癌患部のどのあたりに損傷を与えているかはモニターしていないために、癌を有効に攻撃しているかどうかを全く知ることができないという問題があった。【解決手段】患者１に接触して超音波振動子のプローブ２が装着され、このプローブ２に表示装置３が接続され、又、患者１から離れた位置に重イオン発生装置４が装着され、この重イオン発生装置４の前面に加速電極５が装着され、又、重イオン発生装置４の電源に可変電源６が接続され、この可変電源６から加速電極５に負電圧が印加されている。【選択図】　　　　図１
2004041436.tif 000002
【特許請求の範囲】
【請求項１】
イオン発生源から重イオンビームを患部に向けて照射することにより、前記患部の癌を治療する重イオン治療方法において、前記患部に超音波振動子のプローブを接触させて、前記患部を表示装置で表示するとともに、前記重イオンが到達する位置で発生する消費エネルギーによる音響発生源の位置を表示装置で表示することを特徴とする重イオンビームの音響検出方法。
【請求項２】
患者の患部に向けて重イオンを発生するイオン発生源と、該イオン発生源で発生した重イオンを加速する速度を調整する加速電極と、前記患者の患部近傍に接触させる超音波振動子のプローブと、該超音波振動子のプローブからの信号を表示する表示装置とからなり、前記プローブで超音波を照射及びその反射波を受信することにより、前記表示装置で前記患者の患部を表示するとともに、前記重イオンの照射により前記患部近傍で発生する消費エネルギーによる音響発生源を表示することを特徴とする重イオンビームの音響検出装置。
【請求項３】
前記加速電極に負電圧を印加する負電源を接続することにより、前記イオン発生源から発生した重イオンの方向と速度を前記加速電極により調整して、前記患部と前記重イオンの消費エネルギーによる音響発生源とを一致させることを特徴とする請求項２記載の重イオンビームの音響検出装置。
【発明の詳細な説明】
【０００１】
【発明が属する技術分野】
本発明は、炭素原子をイオン化した重イオンを患者の患部に照射して、患部の癌を治療する重イオン治療方における重イオンビームの音響検出法及び装置に関するものである。
【０００２】
【従来の技術】
一般に、重イオン治療はガンマ線治療と異なり、患者の皮膚の損傷が少なくて済むことが知られているが、これは重イオンが患者に照射されると、重イオンが高速で患者の皮膚を通過するためであり、又、この照射された重イオンが止まる直前に多くのエネルギーを消費するためであり、そこで、この重イオンが減速されてエネルギーが消費される発生源を癌の患部と一致させれば、癌を有効に攻撃することができると考えられる。
【０００３】
【発明が解決しようとする課題】
しかしながら、医療現場では、皮膚の損傷を抑えるために、照射位置を変えて重イオンを患者に照射しているが、癌患部のどのあたりに損傷を与えているかはモニターしていないために、癌を有効に攻撃しているかどうかを全く知ることができないという問題があった。
【０００４】
【課題を解決しようとする手段】
本発明は、イオン発生源から重イオンビームを患部に向けて照射することにより、前記患部の癌を治療する重イオン治療方法において、前記患部に超音波振動子のプローブを接触させて、前記患部を表示装置で表示するとともに、前記重イオンが到達する位置で発生する消費エネルギーによる音響発生源の位置を表示装置で表示するものであり、又、患者の患部に向けて重イオンを発生するイオン発生源と、該イオン発生源で発生した重イオンを加速する速度を調整する加速電極と、前記患者の患部近傍に接触させる超音波振動子のプローブと、該超音波振動子のプローブからの信号を表示する表示装置とからなり、前記プローブで超音波を照射及びその反射波を受信することにより、前記表示装置で前記患者の患部を表示するとともに、前記重イオンの照射により前記患部近傍で発生する消費エネルギーによる音響発生源を表示するものであり、さらに、前記加速電極に負電圧を印加する負電源を接続することにより、前記イオン発生源から発生した重イオンの方向と速度を前記加速電極により調整して、前記患部と前記重イオンの消費エネルギーによる音響発生源とを一致させるものである。
【０００５】
【発明の実施の形態】
本発明では、患者の癌患部近傍に超音波振動子のプローブを接触させて、表示装置により癌患部を表示するとともに、重イオンを患部に照射する。重イオンは止まる直前にエネルギーを消費し、この消費エネルギーにより音を発生するので、このエネルギーの消費による音響発生源を表示装置で表示することにより、消費エネルギーによる音響発生源の位置と癌患部の位置を一致させるように重イオンの速度を調整して癌を攻撃することができる。
【０００６】
【実施例】
図１は本発明の実施例の重イオン治療方法及び装置の構成図で、患者１に接触して超音波振動子のプローブ２が装着され、このプローブ２に表示装置３が接続され、又、患者１から離れた位置に重イオン発生装置４が装着され、この重イオン発生装置４の前面に加速電極５が装着され、又、重イオン発生装置４の電源に可変電源６が接続され、この可変電源６から加速電極５に負電圧が印加されている。
【０００７】
このように構成された本実施例の重イオン治療方法及び装置では、プローブ２から患者１に超音波を照射すると、超音波の反射波が図２の表示装置３の表示面３ａに扇状の表示Ａとして表示され、この扇状の表示Ａの中に丸Ｂで示すように患者１の癌患部１ａが表示され、そこに重イオン発生装置４から発生された重イオンが患者１に図１の矢印４ａで示すように照射されると、図２の表示面３ａにＸ点Ｃで示すように、重イオンが停止する直前に発生する消費されるエネルギーによる音がプローブ２で検出されて表示装置３で表示される。
【０００８】
従って、重イオン発生装置４に接続された可変電源６から加速電極５に印加される負電圧を調整することにより、重イオン発生装置４から発生される重イオンの速度及び方向を調整することができるので、表示装置３の表示面Ａに表示されたＸ点Ｃと丸Ｂとが一致するように調整すると、重イオン発生装置４から発生した重イオンは確実に患者１の患部１ａに照射され、患部１ａの癌を確実に攻撃することができる。
【０００９】
上記実施例では、炭素原子をイオン化した重イオンを用いて説明したが、これは水素、ヘリウム、鉄などのイオンを用いてもよい。
【００１０】
【発明の効果】
以上説明したように、本発明の重イオンビームの音響検出方法及び装置は、患者の癌患部近傍に超音波振動子のプローブを接触させて、表示装置により癌患部を表示するとともに、重イオンを患者に照射することにより、重イオンは止まる直前にエネルギーを消費し、この消費エネルギーにより音を発生するので、このエネルギーの消費による音響発生源を表示装置で表示することができ、又、消費エネルギーによる音響発生源の位置と癌患部の位置を一致させるように重イオンの速度を調整して癌を攻撃することができるという利点がある。
【図面の簡単な説明】
【図１】本発明の実施例の重イオン治療方法及び装置の構成図である。
【図２】図１の表示装置の表示面を示した図である。
【符号の説明】
１　　　　　　　　患者
２　　　　　　　　超音波振動子のプローブ
３　　　　　　　　表示装置
４　　　　　　　　重イオン発生装置
５　　　　　　　　加速電極
６　　　　　　　　可変電源
【図１】
2004041436.tif 000003
【図２】
2004041436.tif 000004